(57)【特許請求の範囲】
【請求項１】
テープキャリアパッケージのリードの接触部を回路基板に半田付けする半田コテであって、半田コテ本体と、前記半田コテ本体に取り付けられ内蔵されたヒータにより加熱される半田コテ先と、前記接触部の基部近傍を前記回路基板に押さえつけるための押圧部と、基端側が前記半田コテ本体に片持状に固定されて、遊端側で前記押圧部を揺動自在に支持した弾性支持部材とを備え、前記押圧部は、前記半田コテ先の両側に取り付けられ、前記テープキャリアパッケージのリードの接触部の近傍の両側を押え付ける第１の回転体の押さえと第２の回転体の押さえと、を具備することを特徴とする半田コテ。
【請求項２】
前記押圧部は、弾性支持体を介し、前記半田コテの本体に取り付けられる請求項１記載の半田コテ。
【請求項３】
前記押圧部は、弾性支持体を介し、上下に可動する請求項１または２記載の半田コテ。
【請求項４】
前記弾性支持体は、バネで構成される請求項２または３記載の半田コテ。
【発明の詳細な説明】
【０００１】
【発明の属する技術分野】
本発明は、半田コテに関し、特に、基板とテープキャリアパッケージ（Tape  Carrier  Package：以下ＴＣＰと略記する）を接続する引き半田付けに用いられる半田コテに関する。
【０００２】
【従来の技術】
従来、基板とＴＣＰを接続する引き半田付けに用いられる半田コテは、よく知られている。このような第1の従来の半田コテは、例えば、特開平８−２１５８３７号公報に開示されている。
【０００３】
図１０は、特開平８−２１５８３７号公報に開示されている第１の従来の半田コテの構成を示す図で、図１０（ａ）は、従来の半田コテの平面図、図１０（ｂ）は、同半田コテの側面図を示す。
【０００４】
この半田コテは、絶縁性かつ耐熱性の樹脂製の半田コテ本体２０の一方端に、こて先２１を延設するとともに、このこて先２１の先端２１ａの前方上方に、押圧部材２３を弾性支持部材２２を介して、片持梁状に揺動自在に配設して構成される。
【０００５】
上記こて先２１は、図示しないヒータを内蔵しており、このヒータは半田コテ本体２０の他方端から外部に延びる電源コード２４に接続されいる。そして、電源コード２４からの給電により駆動された上記ヒータによって、こて先２１が加熱される。
【０００６】
こて先２１の先端２１ａは、こて先の軸方向に直交するように両側方に張り出した三角柱形状をなしている。押圧部材２３は、黄銅、真鍮、アルミニウムまたはステンレス等の熱伝導性の良好な材質により形成された横断面がホームベース形状の角柱で、その長手方向がこて先２１の先端２１ａと平行になるように弾性支持部材２２に支持されて、こて先２１の先端２１ａとほぼ同幅を有している。
【０００７】
上記押圧部材２３は、基端が半田コテ本体２０の一側に取り付けられた炭素鋼や硬鋼等のばね鋼製の弾性支持部材２２の遊端側に取り付けられることにより、こて先２１の先端２１ａ付近に揺動自在に支持される。
【０００８】
この第１の従来の半田コテを用いて半田付けを行う場合は、押圧部材２３は、接触部３２の片側を押さえつける（図１１を参照）。
【０００９】
また、第２の従来の半田コテを用いて半田付けを行う場合は、基板５とＴＣＰ１を接続する引き半田付けにおいて、個々のＴＣＰ１を基板５に密着させて、信頼性の高い半田付けを行うために、ＴＣＰ１毎の押え治具６を設けている（図７、図８を参照）。
【００１０】
【発明が解決しようとする課題】
しかしながら、第１および第２の従来技術では、押圧部材２３が接触部３２の片側を押さえつける、または、押え治具６が、片側しかないために、ＦＦＣ２８およびＴＣＰ１の初期状態によっては充分に押え付けられずに、端子部１ａが基板５から浮いた状態になり  オープン不良が発生しやすくなる問題があった（図９を参照）。
【００１１】
また、第２の従来技術では、ＴＣＰの形状、個数、ピッチが変わる毎に専用の押え治具を必要とする問題もあった。
【００１２】
したがって、本発明の主な目的は、上記問題を解決した引き半田付け用半田コテを提供することにある。
【００１３】
【課題を解決するための手段】
本発明の半田コテは、テープキャリアパッケージのリードの接触部を回路基板に半田付けする半田コテであって、半田コテ本体と、前記半田コテ本体に取り付けられ内蔵されたヒータにより加熱される半田コテ先と、前記接触部の基部近傍を前記回路基板に押さえつけるための押圧部と、基端側が前記半田コテ本体に片持状に固定されて、遊端側で前記押圧部を揺動自在に支持した弾性支持部材とを備え、前記押圧部は、前記半田コテ先の両側に取り付けられ、前記テープキャリアパッケージのリードの接触部の近傍の両側を押え付ける第１の回転体の押さえと第２の回転体の押さえと、を具備する構成である。
【００１５】
またさらに、本発明の半田コテの前記押圧部は、弾性支持体を介し、前記半田コテの本体に取り付けられる構成であり、さらに、前記押圧部は、弾性支持体を介し、上下に可動する構成である。
【００１６】
また、本発明の半田コテの前記弾性支持体は、バネで構成される。
【００１７】
【発明の実施の形態】
次に、本発明の第１の実施の形態の半田コテの概要を説明する。
【００１８】
まず、本発明の半田コテの特徴は、半田コテと押えが一体になっているため、専用の押え治具が不要となり、且つ、ＴＣＰの半田付け端子部の近傍を両側から押え付けることにより、安定した半田付けが出来ることにある。
【００１９】
図１および図２を参照すると、基板５上に搭載されたＴＣＰ１の端子部１ａを、半田コテ２が走行する。半田コテ２の両側に設けられている押え３は端子部１ａの近傍１ｂを押え付けながら半田付けする。これにより、基板とＴＣＰ端子部が密着し安定した半田付けが可能となる。
【００２０】
次に、図面を参照しながら、本発明の実施の形態の半田コテについて、詳細に説明する。
【００２１】
図１は、本発明の第１の実施の形態の半田コテの構成を示す図である。
【００２２】
図１および図２を参照すると、本発明の第１の実施の形態の半田コテは、絶縁性かつ耐熱性の樹脂製の半田コテ本体１２と、半田コテ本体１２の一方端に延設された半田コテ先２と、半田コテ本体１２の他方端に設けられた支持体１３と、半田コテ先２の両側に押え３とを有する。
【００２３】
本発明の第１の実施の形態の半田コテの押え３は、バネ等の弾性支持体４を介し、支持棒１１に取り付けられ、上下に可動する。そして、支持棒１１は、支持体１３に固定される構成である。また、半田コテ先２は、内臓されたヒーター（図示してない）を有している。
【００２４】
図３は、ＴＣＰの平面図である。端子部１ａが半田付け接続部になる。図４は基板の平面図である。基板５上に半田付け接続する端子部５ａが、ＴＣＰの個数分配置されている。
【００２５】
次に、上述した本発明の第１の実施の形態の半田コテを用いた半田付け方法について説明する。
【００２６】
図５は基板の上にＴＣＰが搭載されている図である。基板５の端子部５ａとＴＣＰ１の端子部１ａを位置合わせした後、半田コテ２が端子部上を進行方向に走行しながら引き半田付けを行う。図１を参照すると、半田コテ２が走行する際に、押え３は、端子部１ａの近傍１ｂを押え付けて、端子部１ａを基板５に密着させながら、半田コテ２と共に移動する。
【００２７】
次に、本発明の第２の実施の形態の半田コテについて説明する。本発明の第２の実施の形態の半田コテは、半田付け対象物が傷付きやすい材質である場合に、有効である。
【００２８】
図６は、本発明の第２の実施の形態の半田コテの構成を示す図である。図６を参照すると、半田付け対象物が傷付きやすい材質である場合は、本発明の第２の実施の形態の半田コテは、本発明の第１の実施の形態の半田コテの押え３の替わりに、押さえ棒１２３に取り付けられた回転体の押さえ７を有する。
【００２９】
それ以外の構成要素は、本発明の第１の実施の形態の半田コテの構成と同じで、同一構成要素には、同一参照符号が付与してある。
【００３０】
本発明の第２の実施の形態の半田コテも、半田コテ２が走行する際に、回転体の押さえ７は、端子部１ａの近傍１ｂを押え付けて基板５に密着させながら、半田コテ２と共に移動する。
【００３１】
【発明の効果】
以上説明した通り、本発明の半田コテは、押えがＴＣＰの半田付け端子部近傍を両側から押え付けので、基板に密着させながら半田付けをすることができ、安定した半田付けが出来る。また半田コテと押えが一体となっているので、基板形状・ＴＣＰ形状毎の専用の押え治具が不要となる。
【図面の簡単な説明】
【図１】本発明の第１の実施の形態の半田コテを示す正面図である。
【図２】本発明の第１の実施の形態の半田コテを示す側面図である。
【図３】ＴＣＰの平面図である。
【図４】基板の平面図である。
【図５】本発明の第１の実施の形態の基板の上にＴＣＰが搭載されている図である。
【図６】本発明の第２の実施の形態の半田コテを示す側面図である。
【図７】従来の基板の上にＴＣＰが搭載されている図である。
【図８】図７の従来の基板の上にＴＣＰが搭載されている図のＡ矢視図である。
【図９】従来の問題点を説明する図である。
【図１０】第１の従来の半田コテを示す図である。
【図１１】第１の従来の半田コテを用いて半田付けをした場合の図である。
【符号の説明】
１    ＴＣＰ
１ａ    ＴＣＰ１の端子部
１ｂ    端子部１ａの近傍
２    半田コテ先
３    押さえ
４    バネ
５    基板
６    押さえ治具
７    回転体の押さえ
１１    支持棒
１２    半田コテ本体
１３    支持体
２０    半田コテ本体
２１    こて先
２２    弾性支持部材
２３    押圧部材
１２３    押さえ棒
【図１】
0004108373.tif 000002
【図２】
0004108373.tif 000003
【図３】
0004108373.tif 000004
【図４】
0004108373.tif 000005
【図５】
0004108373.tif 000006
【図６】
0004108373.tif 000007
【図７】
0004108373.tif 000008
【図８】
0004108373.tif 000009
【図９】
0004108373.tif 000010
【図１０】
0004108373.tif 000011
【図１１】
0004108373.tif 000012